(57)【要約】  本開示は、植物体などの有機物から、精油およびヒドロゾルなどの高品質オイルおよび留出物を効率的に抽出するための方法、システム、ならびにデバイスに関する。ある実施形態では、有機物は、治療目的、医薬目的、調理目的、および工業目的のために用いられる活性化学元素を含む。
2019531362.tif 000002
【特許請求の範囲】
【請求項１】
植物体から有機オイルを生産するためのデバイスであって、該デバイスは、
ａ）植物体から有機オイルを抽出する圧搾機であって：
圧縮部材；
圧縮プレート；
第２の溶媒分散部材；
ふるい；および、
封入部材を含む、圧搾機；
ｂ）フィルターであって：
第１の溶媒；
第２の溶媒；または、
有機オイルをろ過するように構成されるフィルター；
ｃ）蒸留器；および、
ｄ）以下ものの少なくとも１つ：
大量の有機オイルを保持する油容器；または、
大量の有機オイルを移動させるオイルコンベヤ、を含むデバイス。
【請求項２】
植物体の温度を下げる冷却チャンバをさらに含み、冷却チャンバは、
ａ）冷蔵部材；および、
ｂ）コンベヤ部材を含む、請求項１に記載のデバイス。
【請求項３】
冷蔵部材が、約−１２５℃から約０℃の冷却チャンバ内の室温を維持するように構成される、請求項２に記載のデバイス。
【請求項４】
冷却チャンバが、第１の溶媒分散部材、密閉扉、真空室、および調節された空気の取入口の少なくとも１つをさらに含む、請求項２に記載のデバイス。
【請求項５】
第１の溶媒分散部材、および第２の溶媒分散部材の少なくとも１つが、ノズル、ドリッパー、ホース、スプリンクラー、蛇口、通気孔、または任意のこれらの組み合わせを含む、請求項４に記載のデバイス。
【請求項６】
ふるいが複数の突起部を含む、請求項１に記載のデバイス。
【請求項７】
封入部材が植物体を一時的に取り囲むように構成される、請求項１に記載のデバイス。
【請求項８】
ａ）植物体のサイズを縮小するように構成されるグラインダー；
ｂ）有機オイルの少なくとも一部を蒸発させるように構成される蒸発部材；および、
ｃ）発熱部材、の少なくとも１つをさらに含む、請求項１に記載のデバイス。
【請求項９】
可動性を有するように構成される、請求項１記載のデバイス。
【請求項１０】
植物体から有機オイルを抽出するための方法であって：該方法は、
ａ）植物体を冷却する工程；および
ｂ）植物体に第２の溶媒を分散させる間に植物体を圧縮する工程、を含む方法。
【請求項１１】
植物体が約−１２５℃から約０℃の温度に冷却される、請求項１０に記載の方法。
【請求項１２】
植物体を冷却するプロセスの前、またはそのプロセスの間に、植物体に第１の溶媒を分散させる工程をさらに含む、請求項１０に記載の方法。
【請求項１３】
植物体の質量が、第１の溶媒または第２の溶媒の質量よりも約１．０１から約１００倍大きい、請求項１２に記載の方法。
【請求項１４】
第１の溶媒および第２の溶媒の少なくとも一方が、エタノール、アルコール、水、ギ酸、ブタノール、ペンタン、イソプロパノール、プロパノール、プロピレン、メタノール、酢酸、ヘキサノール、または任意のこれらの組み合わせを含む、請求項１２に記載の方法。
【請求項１５】
植物体を冷却する前に植物体を加熱する工程をさらに含む、請求項１０に記載の方法。
【請求項１６】
植物体を圧縮する前に植物体を粉砕する工程をさらに含み、ここで、植物体を粉砕する工程は、植物体の凝集体サイズの大きさを縮小させる、請求項１０に記載の方法。
【請求項１７】
有機オイルをろ過する工程をさらに含む、請求項１０に記載の方法。
【請求項１８】
有機オイルに水を添加する工程をさらに含む、請求項１０に記載の方法。
【請求項１９】
有機オイルを蒸留する工程をさらに含む、請求項１０に記載の方法。
【請求項２０】
有機オイルを蒸留する工程は、減圧蒸留、分子蒸留、水蒸気蒸留、蒸発、または任意のこれらの組み合わせを含む、請求項１９に記載の方法。
【請求項２１】
第２の溶媒を分散させる前に植物体を圧縮する工程をさらに含み、ここで、植物体を圧縮する工程は、植物体の体積を減少させる、請求項１０に記載の方法。
【請求項２２】
第１の溶媒および第２の溶媒の少なくとも一方を、第１のバッチから次のバッチに再利用する工程をさらに含む、請求項１０に記載の方法。
【請求項２３】
有機オイルを蒸発させる工程をさらに含む、請求項１０に記載の方法。
【請求項２４】
有機オイルを蒸発させる工程は、氷乾燥、気圧乾燥、対流乾燥、伝導乾燥、または、任意のこれらの組み合わせを含む、請求項２３に記載の方法。
【発明の詳細な説明】
【技術分野】
【０００１】
相互参照
本出願は、２０１６年７月２９日に出願された米国仮特許出願第６２／３６８，９０３号の利益を主張し、該出願は、全体として参照により本明細書に組み込まれる。
【背景技術】
【０００２】
本開示は、植物体などの有機物から、精油およびハイドロゾルなどの高品質オイルおよび留出物を効率的に抽出するための方法、システム、ならびにデバイスに関連するものである。ある実施形態では、有機物は、治療目的、医薬目的、工業目的、および調理目的に使用される活性化学元素を含む。
【０００３】
有機物からオイルを抽出するための方法が現在多く存在するが、これらの方法の多くは高価で、非効率的で、最適以下の産物を生成する。幾つかのそのような方法は、有機オイルの品質、効果、および健康上の利益を損なう危険な残留物を残し得るブタン、ヘキサン、フェニル−ホスフェートなどの溶媒を使用する。
【０００４】
高圧および低温下で臨界超過か臨界前のＣＯ２を使用する二酸化炭素（ＣＯ２）抽出が、有機オイルを分離し、クロロフィルまたは他の化合物を取り除くために用いられているが、そのような方法で高品質オイルを生成するためには、高価な設備、およびかなりの微調整と調節が必要とされ得る。
【０００５】
さらに、高品位の穀物アルコール、ブタノール、およびオリーブオイルなどの溶媒が有機オイルの抽出のために使用されるが、大量生産におけるそのような溶媒の使用は、多くの時間を要し、かつ非実用的であり得る。
【０００６】
それゆえ、有機植物体から高品質オイルおよび留出物を効率的に抽出するように構成された方法、システム、およびデバイスへのニーズが今も満たされていない。
【発明の概要】
【０００７】
本開示の態様は、植物体から有機オイルまたは有機オイルの組み合わせを生成するためのデバイスを提供し、該デバイスは、植物体から有機オイルを抽出する圧搾機であって、圧縮部材；圧縮プレート；ふるい；および、封入部材、を含む圧搾機；第１の溶媒、第２の溶媒、または有機オイルをろ過するように構成されるフィルター；蒸留器；および、以下のものの少なくとも１つ：大量の有機オイルを保持する油容器；または、大量の有機オイルを移動させる液体コンベヤ部、を含む。ある実施形態では、デバイスは、植物体の温度を下げる冷却チャンバをさらに含み、ここで、冷却チャンバは、冷蔵部材；コンベヤ部材；および、第１の溶媒分散部材、を含む。ある実施形態では、冷却チャンバは、第１の溶媒分散部材、密閉扉、真空室、および調節された空気の取入口の少なくとも１つを冷却することをさらに含む。
【０００８】
ある実施形態では、冷蔵部材は、約−１２５℃から約０℃の冷却チャンバ内の室温を維持するように構成される。ある実施形態では、冷蔵部材は、少なくとも約−１２５℃の冷却チャンバ内の室温を維持するように構成される。ある実施形態では、冷蔵部材は、最大で約０℃の冷却チャンバ内の室温を維持するように構成される。ある実施形態では、冷蔵部材は、約０℃から約−１０℃、約０℃から約−３０℃、約０℃から約−４０℃、約０℃から約−５０℃、約０℃から約−５０℃、約０℃から約−６０℃、約０℃から約−７０℃、約０℃から約−８０℃、約０℃から約−９０℃、約０℃から約−１００℃、約０℃から約−１２５℃、約−１０℃から約−３０℃、約−１０℃から約−４０℃、約−１０℃から約−５０℃、約−１０℃から約−５０℃、約−１０℃から約−６０℃、約−１０℃から約−７０℃、約−１０℃から約−８０℃、約−１０℃から約−９０℃、約−１０℃から約−１００℃、約−１０℃から約−１２５℃、約−３０℃から約−４０℃、約−３０℃から約−５０℃、約−３０℃から約−５０℃、約−３０℃から約−６０℃、約−３０℃から約−７０℃、約−３０℃から約−８０℃、約−３０℃から約−９０℃、約−３０℃から約−１００℃、約−３０℃から約−１２５℃、約−４０℃から約−５０℃、約−４０℃から約−５０℃、約−４０℃から約−６０℃、約−４０℃から約−７０℃、−４０℃から約−８０℃、約−４０℃から約−９０℃、約−４０℃から約−１００℃、約−４０℃から約−１２５℃、約−５０℃から約−５０℃、約−５０℃から約−６０℃、約−５０℃から約−７０℃、約−５０℃から約−８０℃、約−５０℃から約−９０℃、約−５０℃から約−１００℃、約−５０℃から約−１２５℃、約−５０℃から約−６０℃、約−５０℃から約−７０℃、約−５０℃から約−８０℃、約−５０℃から約−９０℃、約−５０℃から約−１００℃、約−５０℃から約−１２５℃、約−６０℃から約−７０℃、約−６０℃から約−８０℃、約−６０℃から約−９０℃、約−６０℃から約−１００℃、約−６０℃から約−１２５℃、約−７０℃から約−８０℃、約−７０℃から約−９０℃、約−７０℃から約−１００℃、約−７０℃から約−１２５℃、約−８０℃から約−９０℃、約−８０℃から約−１００℃、約−８０℃から約−１２５℃、約−９０℃から約−１００℃、約−９０℃から約−１２５℃、または約−１００℃から約−１２５℃の冷却チャンバ内の室温を維持するように構成される。ある実施形態では、冷蔵部材は、約０℃、約−１０℃、約−３０℃、約−４０℃、約−５０℃、約−５０℃、約−６０℃、約−７０℃、約−８０℃、約−９０℃、約−１００℃、あるいは−１２５℃の冷却チャンバの内の室温を維持するように構成される。
【０００９】
ある実施形態では、コンベヤ部材は、コンベヤ部材、スライド、ローラー、クレーン、フォークリフト、傾斜路、輸送手段、リフト、あるいは任意のこれらの組み合わせを含む。ある実施形態では、圧縮プレートは複数の突起部を含む。ある実施形態では、圧縮プレートおよび第２の溶媒分散部材は、単一の構成要素を含む。ある実施形態では、圧縮プレートおよび圧縮部材は単一の構成要素を含む。ある実施形態では、第１の溶媒分散部材、および第２の溶媒分散部材の少なくとも１つは、ノズル、ドリッパー、ホース、スプリンクラー、蛇口、通気孔、あるいは任意のこれらの組み合わせを含む。ある実施形態では、ふるいは複数の突起部を含む。ある実施形態では、封入部材は植物体を一時的に取り囲むように構成される。
【００１０】
ある実施形態では、フィルターは、約０．１μｍから約１０μｍの孔径を有する。ある実施形態では、フィルターは少なくとも約０．１μｍの孔径を有する。ある実施形態では、フィルターは最大で約１０μｍ孔径を有する。ある実施形態では、フィルターは、約０．１μｍから約０．２μｍ、約０．１μｍから約０．５μｍ、約０．１μｍから約１μｍ、約０．１μｍから約２μｍ、約０．１μｍから約３μｍ、約０．１μｍから約４μｍ、約０．１μｍから約５μｍ、約０．１μｍから約６μｍ、約０．１μｍから約７μｍ、約０．１μｍから約８μｍ、約０．１μｍから約１０μｍ、約０．２μｍから約０．５μｍ、約０．２μｍから約１μｍ、約０．２μｍから約２μｍ、約０．２μｍから約３μｍ、約０．２μｍから約４μｍ約０．２μｍから約５μｍ、約０．２μｍから約６μｍ、約０．２μｍから約７μｍ、約０．２μｍから約８μｍ、約０．２μｍから約１０μｍ、約０．５μｍから約１μｍ、約０．５μｍから約２μｍ、約０．５μｍから約３μｍ、約０．５μｍから約４μｍ、約０．５μｍから約５μｍ、０．５μｍから約６μｍ、約０．５μｍから約７μｍ、約０．５μｍから約８μｍ、約０．５μｍから約１０μｍ、約１μｍから約２μｍ、約１μｍから約３μｍ、約１μｍから約４μｍ、約１μｍから約５μｍ、約１μｍから約６μｍ、約１μｍから約７μｍ、約１μｍから約８μｍ、約１μｍから約１０μｍ、約２μｍから約３μｍ、約２μｍから約４μｍ、約２μｍから約５μｍ、約２μｍから約６μｍ、約２μｍから約７μｍ、約２μｍから約８μｍ、約２μｍから約１０μｍ、約３μｍから約４μｍ、約３μｍから約５μｍ、約３μｍから約６μｍ、約３μｍから約７μｍ、約３μｍから約８μｍ、約３μｍから約１０μｍ、約４μｍから約５μｍ、約４μｍから約６μｍ、約４μｍから約７μｍ、約４μｍから約８μｍ、約４μｍから約１０μｍ、約５μｍから約６μｍ、約５μｍから約７μｍ、約５μｍから約８μｍ、約５μｍから約１０μｍ、約６μｍから約７μｍ、約６μｍから約８μｍ、約６μｍから約１０μｍ、約７μｍから約８μｍ、約７μｍから約１０μｍ、または、約８μｍから約１０μｍの孔径を有する。ある実施形態では、フィルターは、約０．１μｍ、約０．２μｍ、約０．５μｍ、約１μｍ、約２μｍ、約３μｍ、約４μｍ、約５μｍ、約６μｍ、約７μｍ、約８μｍ、または、約１０μｍの孔径を有する。
【００１１】
ある実施形態では、デバイスは、以下のものの少なくとも１つをさらに含む：植物体のサイズを縮小するように構成されたグラインダー；および、有機オイルの少なくとも一部を蒸発させるように構成された蒸発部材。ある実施形態では、グラインダーは、刃、砥石車、のこぎり、ディスク、ワイヤーカッター、あるいは任意のこれらの組み合わせを含む。ある実施形態では、デバイスは可動性を有するように構成される。
【００１２】
本明細書に提供される他の態様は、植物体から有機オイルを抽出する方法であって、該方法は、植物体を冷却する工程；植物体に第１の溶媒を分散させる工程；および、植物体に第２の溶媒を分散させる間に植物体を圧縮する工程、を含む。
【００１３】
ある実施形態では、植物体は、約−１２５℃から約０℃の温度に冷却される。ある実施形態では、植物体は少なくとも約−１２５℃の温度に冷却される。ある実施形態では、植物体は、最大で約０℃の温度に冷却される。ある実施形態では、植物体は、約０℃から約−１０℃、約０℃から約−３０℃、約０℃から約−４０℃，約０℃から約−５０℃、約０℃から約−５０℃、約０℃から約−６０℃、約０℃から約−７０℃、約０℃から約−８０℃、約０℃から約−９０℃、約０℃から約−１００℃、約０℃から約−１２５℃、約−１０℃から約−３０℃、約−１０℃から約−４０℃、約−１０℃から約−５０℃、約−１０℃から約−５０℃、約−１０℃から約−６０℃、約−１０℃から約−７０℃、約−１０℃から約−８０℃、約−１０℃から約−９０℃、約−１０℃から約−１００℃、約−１０℃から約−１２５℃、約−３０℃から約−４０℃、約−３０℃から約−５０℃、約−３０℃から約−５０℃、約−３０℃から約−６０℃、約−３０℃から約−７０℃、約−３０℃から約−８０℃、約−３０℃から約−９０℃、約−３０℃から約−１００℃、約−３０℃から約−１２５℃、約−４０℃から約−５０℃、約−４０℃から約−５０℃、約−４０℃から約−６０℃、約−４０℃から約−７０℃、−４０℃から約−８０℃、約−４０℃から約−９０℃、約−４０℃から約−１００℃、約−４０℃から約−１２５℃、約−５０℃から約−５０℃、約−５０℃から約−６０℃、約−５０℃から約−７０℃、約−５０℃から約−８０℃、約−５０℃から約−９０℃、約−５０℃から約−１００℃、約−５０℃から約−１２５℃、約−５０℃から約−６０℃、約−５０℃から約−７０℃、約−５０℃から約−８０℃、約−５０℃から約−９０℃、約−５０℃から約−１００℃、約−５０℃から約−１２５℃、約−６０℃から約−７０℃、約−６０℃から約−８０℃、約−６０℃から約−９０℃、約−６０℃から約−１００℃、約−６０℃から約−１２５℃、約−７０℃から約−８０℃、約−７０℃から約−９０℃、約−７０℃から約−１００℃、約−７０℃から約−１２５℃、約−８０℃から約−９０℃、約−８０℃から約−１００℃、約−８０℃から約−１２５℃、約−９０℃から約−１００℃、約−９０℃から約−１２５℃、または約−１００℃から約−１２５℃に維持するように構成される。ある実施形態では、植物体は、約０℃、−１０℃、約−３０℃、約−４０℃、約−５０℃、約−５０℃、約−６０℃、約−７０℃、約−８０℃、約−９０℃、約−１００℃、あるいは−１２５℃の温度に冷却される。
【００１４】
ある実施形態では、植物体の質量は、第１の溶媒の質量よりも約１．０１から約１００倍大きい。ある実施形態では、植物体の質量は、第１の溶媒の質量より少なくとも約１．０１倍大きい。ある実施形態では、植物体の質量は、第１の溶媒の質量より最大で約１００倍大きい。ある実施形態では、植物体の質量は、第１の溶媒の質量よりも約１．０１から約１．５、約１．０１から約２、約１．０１から約５、約１．０１から約１０、約、１．０１から約２０に、約１．０１から約３０、約１．０１から約４０、約１．０１から約６０、約１．０１から約８０、約１．０１から約１００、約１．５から約２、約１．５から約５、約１．５から約１０、約１．５から約２０、約１．５から約３０、約１．５から約４０、約１．５から約６０、約１．５から約８０、約１．５から約１００、約２から約５、約２から約１０、約２から約２０、約２から約３０、約２から約４０、約２から約６０、約２から約８０、約２から約１００、約５から約１０、約５から約２０、約５から約３０、約５から約４０、約５から約６０、約５から約８０、約５から約１００、約１０から約２０、約１０から約３０、約１０から約４０、約１０から約６０、約１０から約８０、約１０から約１００、約２０から約３０、約２０から約４０、約２０から約６０、約２０から約８０、約２０から約１００、約３０から約４０、約３０から約６０、約３０から約８０、約３０から約１００、約４０から約６０、約４０から約８０、約４０から約１００、約６０から約８０、約６０から約１００、または、約８０から約１００倍大きい。ある実施形態では、植物体の質量は、第１の溶媒の質量よりも約１．０１、約１．５、約２、約５、約１０、約２０、約３０、約４０、約６０、または、約１００倍大きい。
【００１５】
ある実施形態では、植物体の質量は、第２の溶媒の質量よりも約１．０１から約１００倍大きい。ある実施形態では、植物体の質量は、第２の溶媒の質量より少なくとも約１．０１倍大きい。ある実施形態では、植物体の質量は、第２の溶媒の質量より最大で約１００倍大きい。ある実施形態では、植物体の質量は、第２の溶媒の質量よりも約１．０１から約１．５、約１．０１から約２、約１．０１から約５、約１．０１から約１０、約、１．０１から約２０、約１．０１から約３０、約１．０１から約４０、約１．０１から約６０、約１．０１から約８０、約１．０１から約１００、約１．５から約２、約１．５から約５、約１．５から約１０、約１．５から約２０、約１．５から約３０、約１．５から約４０、約１．５から約６０、約１．５から約８０、約１．５から約１００、約２から約５、約２から約１０、約２から約２０、約２から約３０、約２から約４０、約２から約６０、約２から約８０、約２から約１００、約５から約１０、約５から約２０、約５から約３０、約５から約４０、約５から約６０、約５から約８０、約５から約１００、約１０から約２０、約１０から約３０、約１０から約４０、約１０から約６０、約１０から約８０、約１０から約１００、約２０から約３０、約２０から約４０、約２０から約６０、約２０から約８０、約２０から約１００、約３０から約４０、約３０から約６０、約３０から約８０、約３０から約１００、約４０から約６０、約４０から約８０、約４０から約１００、約６０から約８０、約６０から約１００、または、約８０から約１００倍大きい。ある実施形態では、植物体の質量は、第２の溶媒の質量よりも約１．０１、約１．５、約２、約５、約１０、約２０、約３０、約４０、約６０、約８０、または、約１００倍大きい。
【００１６】
ある実施形態では、植物体への第１の溶媒の分散が、約１バールから約２００バールの圧力で生じる。ある実施形態では、植物体への第１の溶媒の分散が、少なくとも約１バールの圧力で生じる。ある実施形態では、植物体への第１の溶媒の分散が、最大で約２００バールの圧力で生じる。ある実施形態では、植物体への第１の溶媒の分散が、約１バールから約５バール、約１バールから約１０バール、約１バールから約２５バール、約１バールから約５０バール、約１バールから約７５バール、約１バールから約１００バール、約１バールから約１２５バール、約１バールから約１５０バール、約１バールから約１７５バール、約１バールから約２００バール、約５バールから約１０バール、約５バールから約２５バール、約５バールから約５０バール、約５バールから約７５バール、約５バールから約１００バール、約５バールから約１２５バール、約５バールから約１５０バール、約５バールから約１７５バール、約５バールから約２００バール、約１０バールから約２５バール、約１０バールから約５０バール、約１０バールから約７５バール、約１０バールから約１００バール、約１０バールから約１２５バール、約１０バールから約１５０バール、約１０バールから約１７５バール、約１０バールから約２００バール、約２５バールから約５０バール、約２５バールから約７５バール、約２５バールから約１００バール、約２５バールから約１２５バール、約２５バールから約１５０バール、約２５バールから約１７５バール、約２５バールから約２００バール、約５０バールから約７５バール、約５０バールから約１００バール、約５０バールから約１２５バール、約５０バールから約１５０バール、約５０バールから約１７５バール、約５０バールから約２００バール、約７５バールから約１００バール、約７５バールから約１２５バール、約７５バールから約１５０バール、約７５バールから約１７５バール、約７５バールから約２００バール、約１００バールから約１２５バール、約１００バールから約１５０バール、約１００バールから約１７５バール、約１００バールから約２００バール、約１２５バールから約１５０バール、約１２５バールから約１７５バール、約１２５バールから約２００バール、約１５０バールから約１７５バール、約１５０バールから約２００バール、または、約１７５バールから約２００バールの圧力で生じる。ある実施形態では、植物体への第１の溶媒の分散は、約１バール、約５バール、約１０バール、約２５バール、約５０バール、約７５バール、約１００バール、約１２５バール、約１５０バール、約１７５バール、または、約２００バールの圧力で生じる。
【００１７】
ある実施形態では、植物体への第２の溶媒の分散が、約１バールから約２００バールの圧力で生じる。ある実施形態では、植物体への第２の溶媒の分散が、少なくとも約１バールの圧力で生じる。ある実施形態では、植物体への第２の溶媒の分散が、最大で約２００バールの圧力で生じる。ある実施形態では、植物体への第２の溶媒の分散が、約１バールから約５バール、約１バールから約１０バール、約１バールから約２５バール、約１バールから約５０バール、約１バールから約７５バール、約１バールから約１００バール、約１バールから約１２５バール、約１バールから約１５０バール、約１バールから約１７５バール、約１バールから約２００バール、約５バールから約１０バール、約５バールから約２５バール、約５バールから約５０バール、約５バールから約７５バール、約５バールから約１００バール、約５バールから約１２５バール、約５バールから約１５０バール、約５バールから約１７５バール、約５バールから約２００バール、約１０バールから約２５バール、約１０バールから約５０バール、約１０バールから約７５バール、約１０バールから約１００バール、約１０バールから約１２５バール、約１０バールから約１５０バール、約１０バールから約１７５バール、約１０バールから約２００バール、約２５バールから約５０バール、約２５バールから約７５バール、約２５バールから約１００バール、約２５バールから約１２５バール、約２５バールから約１５０バール、約２５バールから約１７５バール、約２５バールから約２００バール、約５０バールから約７５バール、約５０バールから約１００バール、約５０バールから約１２５バール、約５０バールから約１５０バール、約５０バールから約１７５バール、約５０バールから約２００バール、約７５バールから約１００バール、約７５バールから約１２５バール、約７５バールから約１５０バール、約７５バールから約１７５バール、約７５バールから約２００バール、約１００バールから約１２５バール、約１００バールから約１５０バール、約１００バールから約１７５バール、約１００バールから約２００バール、約１２５バールから約１５０バール、約１２５バールから約１７５バール、約１２５バールから約２００バール、約１５０バールから約１７５バール、約１５０バールから約２００バール、または、約１７５バールから約２００バールの圧力で生じる。ある実施形態では、植物体への第２の溶媒の分散が、約１バール、約５バール、約１０バール、約２５バール、約５０バール、約７５バール、約１００バール、約１２５バール、約１５０バール、約１７５バール、または、約２００バールの圧力で生じる。
【００１８】
ある実施形態では、植物体への第１の溶媒の分散が、約２秒から約５００，０００秒間にわたって生じる。ある実施形態では、植物体への第１の溶媒の分散が、少なくとも約２秒間にわたって生じる。ある実施形態では、植物体への第１の溶媒の分散が、最大で約５００，０００秒間にわたって生じる。ある実施形態では、植物体への第１の溶媒の分散が、約２秒から約５秒、約２秒から約１０秒、約２秒から約５０秒、約２秒から約１００秒、約２秒から約５００秒、約２秒から約１，０００秒、約２秒から約５，０００秒、約２秒から約１０，０００秒、約２秒から約５０，０００秒、約２秒から約１００，０００秒、約２秒から約５００，０００秒、約５秒から約１０秒、約５秒から約５０秒、約５秒から約１００秒、約５秒から約５００秒、約５秒から約１，０００秒、約５秒から約５，０００秒、約５秒から約１０，０００秒、約５秒から約５０，０００秒、約５秒から約１００，０００秒、約５秒から約５００，０００秒、約１０秒から約５０秒、約１０秒から約１００秒、約１０秒から約５００秒、約１０秒から約１，０００秒、約１０秒から約５，０００秒、約１０秒から約１０，０００秒、約１０秒から約５０，０００秒、約１０秒から約１００，０００秒、約１０秒から約５００，０００秒、約５０秒から約１００秒、約５０秒から約５００秒、約５０秒から約１，０００秒、約５０秒から約５，０００秒、約５０秒から約１０，０００秒、約５０秒から約５０，０００秒、約５０秒から約１００，０００秒、約５０秒から約５００，０００秒、約１００秒から約５００秒、約１００秒から約１，０００秒、約１００秒から約５，０００秒、約１００秒から約１０，０００秒、約１００秒から約５０，０００秒、約１００秒から約１００，０００秒、約１００秒から約５００，０００秒、約５００秒から約１，０００秒、約５００秒から約５，０００秒、約５００秒から約１０，０００秒、約５００秒から約５０，０００秒、約５００秒から約１００，０００秒、約５００秒から約５００，０００秒、約１，０００秒から約５，０００秒、約１，０００秒から約１０，０００秒、約１，０００秒から約５０，０００秒、約１，０００秒から約１００，０００秒、約１，０００秒から約５００，０００秒、約５，０００秒から約１０，０００秒、約５，０００秒から約５０，０００秒、約５，０００秒から約１００，０００秒、約５，０００秒から約５００，０００秒、約１０，０００秒から約５０，０００秒、約１０，０００秒から約１００，０００秒、約１０，０００秒から約５００，０００秒、約５０，０００秒から約１００，０００秒、約５０，０００秒から約５００，０００秒、また、は約１００，０００秒から約５００，０００秒間にわたって生じる。ある実施形態では、植物体への第１の溶媒の分散が、約２秒、約５秒、約１０秒、約５０秒、約１００秒、約５００秒、約１，０００秒、約５，０００秒、約１０，０００秒、約５０，０００秒、約１００，０００秒、または、約５００，０００秒間にわたって生じる。ある実施形態では、植物体への第１の溶媒の分散が、５００，０００秒を超える期間生じる。
【００１９】
ある実施形態では、植物体への第２の溶媒の分散が、約２秒から約５００，０００秒間にわたって生じる。ある実施形態では、植物体への第２の溶媒の分散が、少なくとも約２秒間にわたって生じる。ある実施形態では、植物体への第２の溶媒の分散が、最大で約５００，０００秒間生じる。ある実施形態では、植物体への第２の溶媒の分散が、約２秒から約５秒、約２秒から約１０秒、約２秒から約５０秒、約２秒から約１００秒、約２秒から約５００秒、約２秒から約１，０００秒、約２秒から約５，０００秒、約２秒から約１０，０００秒、約２秒から約５０，０００秒、約２秒から約１００，０００秒、約２秒から約５００，０００秒、約５秒から約１０秒、約５秒から約５０秒、約５秒から約１００秒、約５秒から約５００秒、約５秒から約１，０００秒、約５秒から約５，０００秒、約５秒から約１０，０００秒、約５秒から約５０，０００秒、約５秒から約１００，０００秒、約５秒から約５００，０００秒、約１０秒から約５０秒、約１０秒から約１００秒、約１０秒から約５００秒、約１０秒から約１，０００秒、約１０秒から約５，０００秒、約１０秒から約１０，０００秒、約１０秒から約５０，０００秒、約１０秒から約１００，０００秒、約１０秒から約５００，０００秒、約５０秒から約１００秒、約５０秒から約５００秒、約５０秒から約１，０００秒、約５０秒から約５，０００秒、約５０秒から約１０，０００秒、約５０秒から約５０，０００秒、約５０秒から約１００，０００秒、約５０秒から約５００，０００秒、約１００秒から約５００秒、約１００秒から約１，０００秒、約１００秒から約５，０００秒、約１００秒から約１０，０００秒、約１００秒から約５０，０００秒、約１００秒から約１００，０００秒、約１００秒から約５００，０００秒、約５００秒から約１，０００秒、約５００秒から約５，０００秒、約５００秒から約１０，０００秒、約５００秒から約５０，０００秒、約５００秒から約１００，０００秒、約５００秒から約５００，０００秒、約１，０００秒から約５，０００秒、約１，０００秒から約１０，０００秒、約１，０００秒から約５０，０００秒、約１，０００秒から約１００，０００秒、約１，０００秒から約５００，０００秒、約５，０００秒から約１０，０００秒、約５，０００秒から約５０，０００秒、約５，０００秒から約１００，０００秒、約５，０００秒から約５００，０００秒、約１０，０００秒から約５０，０００秒、約１０，０００秒から約１００，０００秒、約１０，０００秒から約５００，０００秒、約５０，０００秒から約１００，０００秒、約５０，０００秒から約５００，０００秒、または約１００，０００秒から約５００，０００秒間にわたって生じる。ある実施形態では、植物体への第２の溶媒の分散が、約２秒、約５秒、約１０秒、約５０秒、約１００秒、約５００秒、約１，０００秒、約５，０００秒、約１０，０００秒、約５０，０００秒、約１００，０００秒、または約５００，０００秒間にわたって生じる。ある実施形態では、植物体への第２の溶媒の分散が、５００，０００秒を超える期間にわたって生じる。
【００２０】
ある実施形態では、植物体の圧縮が、約１分から約６０分間にわたって生じる。
【００２１】
ある実施形態では、植物体の圧縮が、約２秒から約５００，０００秒間にわたって生じる。ある実施形態では、植物体の圧縮が、少なくとも約２秒間生じる。ある実施形態では、植物体の圧縮が、最大で約５００，０００秒間生じる。ある実施形態では、植物体の圧縮が、約２秒から約５秒、約２秒から約１０秒、約２秒から約５０秒、約２秒から約１００秒、約２秒から約５００秒、約２秒から約１，０００秒、約２秒から約５，０００秒、約２秒から約１０，０００秒、約２秒から約５０，０００秒、約２秒から約１００，０００秒、約２秒から約５００，０００秒、約５秒から約１０秒、約５秒から約５０秒、約５秒から約１００秒、約５秒から約５００秒、約５秒から約１，０００秒、約５秒から約５，０００秒、約５秒から約１０，０００秒、約５秒から約５０，０００秒、約５秒から約１００，０００秒、約５秒から約５００，０００秒、約１０秒から約５０秒、約１０秒から約１００秒、約１０秒から約５００秒、約１０秒から約１，０００秒、約１０秒から約５，０００秒、約１０秒から約１０，０００秒、約１０秒から約５０，０００秒、約１０秒から約１００，０００秒、約１０秒から約５００，０００秒、約５０秒から約１００秒、約５０秒から約５００秒、約５０秒から約１，０００秒、約５０秒から約５，０００秒、約５０秒から約１０，０００秒、約５０秒から約５０，０００秒、約５０秒から約１００，０００秒、約５０秒から約５００，０００秒、約１００秒から約５００秒、約１００秒から約１，０００秒、約１００秒から約５，０００秒、約１００秒から約１０，０００秒、約１００秒から約５０，０００秒、約１００秒から約１００，０００秒、約１００秒から約５００，０００秒、約５００秒から約１，０００秒、約５００秒から約５，０００秒、約５００秒から約１０，０００秒、約５００秒から約５０，０００秒、約５００秒から約１００，０００秒、約５００秒から約５００，０００秒、約１，０００秒から約５，０００秒、約１，０００秒から約１０，０００秒、約１，０００秒から約５０，０００秒、約１，０００秒から約１００，０００秒、約１，０００秒から約５００，０００秒、約５，０００秒から約１０，０００秒、約５，０００秒から約５０，０００秒、約５，０００秒から約１００，０００秒、約５，０００秒から約５００，０００秒、約１０，０００秒から約５０，０００秒、約１０，０００秒から約１００，０００秒、約１０，０００秒から約５００，０００秒、約５０，０００秒から約１００，０００秒、約５０，０００秒から約５００，０００秒、または、約１００，０００秒から約５００，０００秒間にわたって生じる。ある実施形態では、植物体の圧縮が、約２秒、約５秒、約１０秒、約５０秒、約１００秒、約５００秒、約１，０００秒、約５，０００秒、約１０，０００秒、約５０，０００秒、約１００，０００秒、または約５００，０００秒間にわたって生じる。
【００２２】
ある実施形態では、植物体の圧縮は、植物体の体積を約１％から約９５％減少させる。ある実施形態では、植物体の圧縮は、植物体の体積を少なくとも約１％減少させる。ある実施形態では、植物体の圧縮は、植物体の体積を最大で約９５％減少させる。ある実施形態では、植物体の圧縮は、植物体の体積を約１％から約２％、約１％から約５％、約１％から約１０％、約１％から約２０％、約１％から約３０％、約１％から約４０％、約１％から約５０％、約１％から約６０％、約１％から約７０％、約１％から約８０％、約１％から約９５％、約２％から約５％、約２％から約１０％、約２％から約２０％、約２％から約３０％、約２％から約４０％、約２％から約５０％、約２％から約６０％、約２％から約７０％、約２％から約８０％、約２％から約９５％、約５％から約１０％、約５％から約２０％、約５％から約３０％、約５％から約４０％、約５％から約５０％、約５％から約６０％、約５％から約７０％、約５％から約８０％、約５％から約９５％、約１０％から約２０％、約１０％から約３０％、約１０％から約４０％、約１０％から約５０％、約１０％から約６０％、約１０％から約７０％、約１０％から約８０％、約１０％から約９５％、約２０％から約３０％、約２０％から約４０％、約２０％から約５０％、約２０％から約６０％、約２０％から約７０％、約２０％から約８０％、約２０％から約９５％、約３０％から約４０％、約３０％から約５０％、約３０％から約６０％、約３０％から約７０％、約３０％から約８０％、約３０％から約９５％、約４０％から約５０％、約４０％から約６０％、約４０％から約７０％、約４０％から約８０％、約４０％から約９５％、約５０％から約６０％、約５０％から約７０％、約５０％から約８０％、約５０％から約９５％、約６０％から約７０％、約６０％から約８０％、約６０％から約９５％、約７０％から約８０％、約７０％から約９５％、または、約８０％から約９５％減少させる。ある実施形態では、植物体の圧縮は、植物体の体積を約１％、約２％、約５％、約１０％、約２０％、約３０％、約４０％、約５０％、約６０％、約７０％、約８０％、または、約９５％減少させる。
【００２３】
ある実施形態は、植物体を冷却する前に植物体を加熱することをさらに含む。
【００２４】
ある実施形態では、植物体は、約５０℃から約２００℃の温度に加熱される。ある実施形態では、植物体は少なくとも約５０℃の温度に加熱される。ある実施形態では、植物体は最大で約２００℃の温度に加熱される。ある実施形態では、植物体は、約５０℃から約６０℃、約５０℃から約７０℃、約５０℃から約８０℃、約５０℃から約９０℃、約５０℃から約１００℃、約５０℃から約１２５℃、約５０℃から約１５０℃、約５０℃から約１７５℃、約５０℃から約２００℃、約６０℃から約７０℃、約６０℃から約８０℃、約６０℃から約９０℃、約６０℃から約１００℃、約６０℃から約１２５℃、約６０℃から約１５０℃、約６０℃から約１７５℃、約６０℃から約２００℃、約７０℃から約８０℃、約７０℃から約９０℃、約７０℃から約１００℃、約７０℃から約１２５℃、約７０℃から約１５０℃、約７０℃から約１７５℃、約７０℃から約２００℃、約８０℃から約９０℃、約８０℃から約１００℃、約８０℃から約１２５℃、約８０℃から約１５０℃、約８０℃から約１７５℃、約８０℃から約２００℃、約９０℃から約１００℃、約９０℃から約１２５℃、約９０℃から約１５０℃、約９０℃から約１７５℃、約９０℃から約２００℃、約１００℃から約１２５℃、約１００℃から約１５０℃、約１００℃から約１７５℃、約１００℃から約２００℃、約１２５℃から約１５０℃、約１２５℃から約１７５℃、約１２５℃から約２００℃、約１５０℃から約１７５℃、約１５０℃から約２００℃、または約１７５℃から約２００℃の温度に加熱される。ある実施形態では、植物体は、約５０℃、約６０℃、約７０℃、約８０℃、約９０℃、約１００℃、約１２５℃、約１５０℃、約１７５℃、または、２００℃の温度に加熱される。
【００２５】
ある実施形態では、植物体は約１時間から約２４時間にわたって加熱される。ある実施形態では、植物体は、少なくとも約１時間加熱される。ある実施形態では、植物体は最大で約２４時間加熱される。ある実施形態では、植物体は、約１時間から約２時間、約１時間から約４時間、約１時間から約６時間、約１時間から約８時間、約１時間から約１０時間、約１時間から約１４時間、約１時間から約１８時間、約１時間から約２４時間、約２時間から約４時間、約２時間から約６時間、約２時間から約８時間、約２時間から約１０時間、約２時間から約１４時間、約２時間から約１８時間、約２時間から約２４時間、約４時間から約６時間、約４時間から約８時間、約４時間から約１０時間、約４時間から約１４時間、約４時間から約１８時間、約４時間から約２４時間、約６時間から約８時間、約６時間から約１０時間、約６時間から約１４時間、約６時間から約１８時間、約６時間から約２４時間、約８時間から約１０時間、約８時間から約１４時間、約８時間から約１８時間、約８時間から約２４時間、約１０時間から約１４時間、約１０時間から約１８時間、約１０時間から約２４時間、約１４時間から約１８時間、約１４時間から約２４時間、または約１８時間から約２４時間にわたって加熱される。ある実施形態では、植物体は、約１時間、約２時間、約４時間、約６時間、約８時間、約１０時間、約１４時間、約１８時間、または約２４時間にわたって加熱される。
【００２６】
ある実施形態は、植物体を圧縮する前に植物体を粉砕することをさらに含み、ここで、植物体を粉砕することは、植物体の凝集体サイズの大きさを縮小させる。ある実施形態は、有機オイルをろ過することをさらに含む。
【００２７】
ある実施形態では、有機オイルのろ過は、約０．１μｍから約１０μｍの孔径を有するフィルターを介して、有機オイルをろ過することを含む。ある実施形態では、有機オイルのろ過は、少なくとも約０．１μｍの孔径を有するフィルターを介して、有機オイルをろ過することを含む。ある実施形態では、有機オイルのろ過は、最大約１０μｍの孔径を有するフィルターを介して、有機オイルをろ過することを含む。ある実施形態では、有機オイルのろ過は、約０．１μｍから約０．２μｍ、約０．１μｍから約０．５μｍ、約０．１μｍから約１μｍ、約０．１μｍから約２μｍ、約０．１μｍから約３μｍ、約０．１μｍから約４μｍ、約０．１μｍから約５μｍ、約０．１μｍから約６μｍ、約０．１μｍから約７μｍ、約０．１μｍから約８μｍ、約０．１μｍから約１０μｍ、約０．２μｍから約０．５μｍ、約０．２μｍから約１μｍ、約０．２μｍから約２μｍ、約０．２μｍから約３μｍ、約０．２μｍから約４μｍ、約０．２μｍから約５μｍ、約０．２μｍから約６μｍ、約０．２μｍから約７μｍ、約０．２μｍから約８μｍ，約０．２μｍから約１０μｍ、約０．５μｍから約１μｍ、約０．５μｍから約２μｍ、約０．５μｍから約３μｍ、約０．５μｍから約４μｍ、約０．５μｍから約５μｍ、約０．５μｍから約６μｍ、約０．５μｍから約７μｍ、約０．５μｍから約８μｍ、約０．５μｍから約１０μｍ、約１μｍから約２μｍ、約１μｍから約３μｍ、約１μｍから約４μｍ、約１μｍから約５μｍ、約１μｍから約６μｍ、約１μｍから約７μｍ、約１μｍから約８μｍ、約１μｍから約１０μｍ、約２μｍから約３μｍ、約２μｍから約４μｍ、約２μｍから約５μｍ、約２μｍから約６μｍ、約２μｍから約７μｍ、約２μｍから約８μｍ、約２μｍから約１０μｍ、約３μｍから約４μｍ、約３μｍから約５μｍ、約３μｍから約６μｍ、約３μｍから約７μｍ、約３μｍから約８μｍ、約３μｍから約１０μｍ、約４μｍから約５μｍ、約４μｍから約６μｍ、約４μｍから約７μｍ、約４μｍから約８μｍ、約４μｍから約１０μｍ、約５μｍから約６μｍ、約５μｍから約７μｍ、約５μｍから約８μｍ、約５μｍから約１０μｍ、約６μｍから約７μｍ、約６μｍから約８μｍ、約６μｍから約１０μｍ、約７μｍから約８μｍ、約７μｍから約１０μｍ、または、約８μｍから約１０μｍの孔径を有するフィルターを介して、有機オイルをろ過することを含む。ある実施形態では、有機オイルのろ過は、約０．１μｍ、０．２μｍ、約０．５μｍ、約１μｍ、約２μｍ、約３μｍ、約４μｍ、約５μｍ、約６μｍ、約７μｍ、約８μｍ、または、１０μｍの孔径を有するフィルターを介して、有機オイルをろ過することを含む。
【００２８】
ある実施形態は、有機オイルに水を添加することをさらに含む。
【００２９】
ある実施形態では、有機オイルの体積は、水の体積よりも約１．１から約１０倍大きい。
【００３０】
ある実施形態では、有機オイルの体積は、水の体積よりも約１．０１から約１００倍大きい。ある実施形態では、有機オイルの体積は、水の体積より少なくとも約１．０１倍大きい。ある実施形態では、有機オイルの体積は、水の体積より最大で約１００倍大きい。ある実施形態では、有機オイルの体積は水の体積よりも、約１．０１から約１．５、約１．０１から約２、約１．０１から約５、約１．０１から約１０、約１．０１から約２０、約１．０１から約３０、約１．０１から約４０、約１．０１から約６０、約１．０１から約８０、約１．０１から約１００、約１．５から約２、約１．５から約５、約１．５から約１０、約１．５から約２０、約１．５から約３０、約１．５から約４０、約１．５から約６０、約１．５から約８０、約１．５から約１００、約２から約５、約２から約１０、約２から約２０、約２から約３０、約２から約４０、約２から約６０、約２から約８０、約２から約１００、約５から約１０、約５から約２０、約５から約３０、約５から約４０、約５から約６０、約５から約８０、約５から約１００、約１０から約２０、約１０から約３０、約１０から約４０、約１０から約６０、約１０から約８０、約１０から約１００、約２０から約３０、約２０から約４０、約２０から約６０、約２０から約８０、約２０から約１００、約３０から約４０、約３０から約６０、約３０から約８０、約３０から約１００、約４０から約６０、約４０から約８０、約４０から約１００、約６０から約８０、約６０から約１００、または、約８０から約１００倍大きい。ある実施形態では、有機オイルの体積は、水の体積よりも約１．０１、約１．５、約２、約５、約１０、約２０、約３０、約４０、約６０、約８０、または、約１００倍大きい。
【００３１】
ある実施形態は、有機オイルを蒸留することをさらに含む。ある実施形態では、有機オイルの蒸留は、減圧蒸留、分子蒸留、水蒸気蒸留、蒸発、または任意のこれらの組み合わせを含む。
【００３２】
ある実施形態では、有機オイルの蒸留は蒸発を含み、ここで、蒸発は約５０℃から約１００℃の温度で有機オイルを加熱することを含む。ある実施形態では、有機オイルの蒸留は蒸発を含み、ここで、蒸発は少なくとも約５０℃の温度で有機オイルを加熱することを含む。ある実施形態では、有機オイルの蒸留は蒸発を含み、ここで、蒸発は最大約１００℃の温度で有機オイルを加熱することを含む。ある実施形態では、有機オイルの蒸留は蒸発を含み、ここで、蒸発は約５０℃から約５５℃、約５０℃から約６０℃、約５０℃から約６５℃、約５０℃から約７０℃、約５０℃から約７５℃、約５０℃から約８０℃、約５０℃から約８５℃、約５０℃から約９０℃、約５０℃から約９５℃、約５０℃から約１００℃、約５５℃から約６０℃、約５５℃から約６５℃、約５５℃から約７０℃、約５５℃から約７５℃、約５５℃から約８０℃、約５５℃から約８５℃、約５５℃から約９０℃、約５５℃から約９５℃、約５５℃から約１００℃、約６０℃から約６５℃、約６０℃から約７０℃、約６０℃から約７５℃、約６０℃から約８０℃、約６０℃から約８５℃、約６０℃から約９０℃、約６０℃から約９５℃、約６０℃から約１００℃、約６５℃から約７０℃、約６５℃から約７５℃、約６５℃から約８０℃、約６５℃から約８５℃、約６５℃から約９０℃、約６５℃から約９５℃、約６５℃から約１００℃、約７０℃から約７５℃、約７０℃から約８０℃、約７０℃から約８５℃、約７０℃から約９０℃、約７０℃から約９５℃、約７０℃から約１００℃、約７５℃から約８０℃、約７５℃から約８５℃、約７５℃から約９０℃、約７５℃から約９５℃、約７５℃から約１００℃、約８０℃から約８５℃、約８０℃から約９０℃、約８０℃から約９５℃、約８０℃から約１００℃、約８５℃から約９０℃、約８５℃から約９５℃、約８５℃から約１００℃、約９０℃から約９５℃、約９０℃から約１００℃、または約９５℃から約１００℃の温度で有機オイルを加熱することを含む。ある実施形態では、有機オイルの蒸留は蒸発を含み、ここで、蒸発は約５０℃、５５℃、約６０℃、約６５℃、約７０℃、約７５℃、約８０℃、約８５℃、約９０℃、約９５℃、または１００℃の温度で有機オイルを加熱することを含む。
【００３３】
ある実施形態では、有機オイルの蒸留は水蒸気蒸留を含み、ここで、水蒸気蒸留は約５０℃から約１００℃の温度で有機オイルを加熱することを含む。ある実施形態では、有機オイルの蒸留は水蒸気蒸留を含み、ここで、水蒸気蒸留は少なくとも約５０℃の温度で有機オイルを加熱することを含む。ある実施形態では、有機オイルの蒸留は水蒸気蒸留を含み、ここで、水蒸気蒸留は最大で約１００℃の温度で有機オイルを加熱することを含む。ある実施形態では、有機オイルの蒸留は水蒸気蒸留を含み、ここで、水蒸気蒸留は約５０℃から約５５℃、約５０℃から約６０℃、約５０℃から約６５℃、約５０℃から約７０℃、約５０℃から約７５℃、約５０℃から約８０℃、約５０℃から約８５℃、約５０℃から約９０℃、約５０℃から約９５℃、約５０℃から約１００℃、約５５℃から約６０℃、約５５℃から約６５℃、約５５℃から約７０℃、約５５℃から約７５℃、約５５℃から約８０℃、約５５℃から約８５℃、約５５℃から約９０℃、約５５℃から約９５℃、約５５℃から約１００℃、約６０℃から約６５℃、約６０℃から約７０℃、約６０℃から約７５℃、約６０℃から約８０℃、約６０℃から約８５℃、約６０℃から約９０℃、約６０℃から約９５℃、約６０℃から約１００℃、約６５℃から約７０℃、約６５℃から約７５℃、約６５℃から約８０℃、約６５℃から約８５℃、約６５℃から約９０℃、約６５℃から約９５℃、約６５℃から約１００℃、約７０℃から約７５℃、約７０℃から約８０℃、約７０℃から約８５℃、約７０℃から約９０℃、約７０℃から約９５℃、約７０℃から約１００℃、約７５℃から約８０℃、約７５℃から約８５℃、約７５℃から約９０℃、約７５℃から約９５℃、約７５℃から約１００℃、約８０℃から約８５℃、約８０℃から約９０℃、約８０℃から約９５℃、約８０℃から約１００℃、約８５℃から約９０℃、約８５℃から約９５℃、約８５℃から約１００℃、約９０℃から約９５℃、約９０℃から約１００℃、または約９５℃から約１００℃の温度で有機オイルを加熱することを含む。ある実施形態では、有機オイルの蒸留は水蒸気蒸留を含み、ここで、水蒸気蒸留は約５０℃、５５℃、約６０℃、約６５℃、約７０℃、約７５℃、約８０℃、約８５℃、約９０℃、約９５℃、または、１００℃の温度で有機オイルを加熱することを含む。
【００３４】
ある実施形態では、有機オイルの蒸留は蒸発を含み、ここで、蒸発は約０．５時から約６時間にわたって有機オイルを加熱することを含む。ある実施形態では、有機オイルの蒸留は蒸発を含み、ここで、蒸発は少なくとも約０．５時間にわたって有機オイルを加熱することを含む。ある実施形態では、有機オイルの蒸留は蒸発を含み、ここで、蒸発は最大で約６時間にわたって有機オイルを加熱することを含む。ある実施形態では、有機オイルの蒸留は、蒸発を含み、ここで、蒸発は約０．５時間から約１時間、約０．５時間から約１．５時間、約０．５時間から約２時間、約０．５時間から約２．５時間、約０．５時間から約３時間、約０．５時間から約３．５時間、約０．５時間から約４時間、約０．５時間から約４．５時間、約０．５時間から約５時間、約０．５時間から約５．５時間、約０．５時間から約６時間、約１時間から約１．５時間、約１時間から約２時間、約１時間から約２．５時間、約１時間から約３時間、約１時間から約３．５時間、約１時間から約４時間、約１時間から約４．５時間、約１時間から約５時間、約１時間から約５．５時間、約１時間から約６時間、約１．５時間から約２時間、約１．５時間から約２．５時間、約１．５時間から約３時間、約１．５時間から約３．５時間、約１．５時間から約４時間、約１．５時間から約４．５時間、約１．５時間から約５時間、約１．５時間から約５．５時間、約１．５時間から約６時間、約２時間から約２．５時間、約２時間から約３時間、約２時間から約３．５時間、約２時間から約４時間、約２時間から約４．５時間、約２時間から約５時間、約２時間から約５．５時間、約２時間から約６時間、約２．５時間から約３時間、約２．５時間から約３．５時間、約２．５時間から約４時間、約２．５時間から約４．５時間、約２．５時間から約５時間、約２．５時間から約５．５時間、約２．５時間から約６時間、約３時間から約３．５時間、約３時間から約４時間、約３時間から約４．５時間、約３時間から約５時間、約３時間から約５．５時間、約３時間から約６時間、約３．５時間から約４時間、約３．５時間から約４．５時間、約３．５時間から約５時間、約３．５時間から約５．５時間、約３．５時間から約６時間、約４時間から約４．５時間、約４時間から約５時間、約４時間から約５．５時間、約４時間から約６時間、約４．５時間から約５時間、約４．５時間から約５．５時間、約４．５時間から約６時間、約５時間から約５．５時間、約５時間から約６時間、または、約５．５時間から約６時間にわたって有機オイルを加熱することを含む。ある実施形態では、有機オイルの蒸留は蒸発を含み、ここで、蒸発は約０．５時間、約１時間、約１．５時間、約２時間、約２．５時間、約３時間、約３．５時間、約４時間、約４．５時間、約５時間、約５．５時間、または、約６時間にわたって有機オイルを加熱することを含む。
【００３５】
ある実施形態では、有機オイルの蒸留が約１時間から約１，４００時間にわたって生じる。ある実施形態では、有機オイルの蒸留が、少なくとも約１時間にわたって生じる。ある実施形態では、有機オイルの蒸留が、最大で約１，４００時間にわたって生じる。ある実施形態では、有機オイルの蒸留は、約１時間から約２時間、約１時間から約５時間、約１時間から約１０時間、約１時間から約２０時間、約１時間から約５０時間、約１時間から約１００時間、約１時間から約２００時間、約１時間から約５００時間、約１時間から約１，０００時間、約１時間から約１，４００時間、約２時間から約５時間、約２時間から約１０時間、約２時間から約２０時間、約２時間から約５０時間、約２時間から約１００時間、約２時間から約２００時間、約２時間から約５００時間、約２時間から約１，０００時間、約２時間から約１，４００時間、約５時間から約１０時間、約５時間から約２０時間、約５時間から約５０時間、約５時間から約１００時間、約５時間から約２００時間、約５時間から約５００時間、約５時間から約１，０００時間、約５時間から約１，４００時間、約１０時間から約２０時間、約１０時間から約５０時間、約１０時間から約１００時間、約１０時間から約２００時間、約１０時間から約５００時間、約１０時間から約１，０００時間、約１０時間から約１，４００時間、約２０時間から約５０時間、約２０時間から約１００時間、約２０時間から約２００時間、約２０時間から約５００時間、約２０時間から約１，０００時間、約２０時間から約１，４００時間、約５０時間から約１００時間、約５０時間から約２００時間、約５０時間から約５００時間、約５０時間から約１，０００時間、約５０時間から約１，４００時間、約１００時間から約２００時間、約１００時間から約５００時間、約１００時間から約１，０００時間、約１００時間から約１，４００時間、約２００時間から約５００時間、約２００時間から約１，０００時間、約２００時間から約１，４００時間、約５００時間から約１，０００時間、約５００時間から約１，４００時間、または、約１，０００時間から約１，４００時間にわたって生じる。ある実施形態では、有機オイルの蒸留が、約１時間、約２時間、約５時間、約１０時間、約２０時間、約５０時間、約１００時間、約２００時間、約５００時間、約１，０００時間、また、は約１，４００時間にわったて生じる。
【００３６】
ある実施形態は、第２の溶媒の分散前に植物体を圧縮することをさらに含み、ここで、植物体を圧縮させることは植物体の体積を減少させる。ある実施形態は、第１バッチから次のバッチに第１の溶媒および第２の溶媒の少なくとも１方を再利用することをさらに含む。ある実施形態は、有機オイルを蒸発させることをさらに含む。ある実施形態では、蒸発は、氷乾燥（ｉｃｅ  ｄｒｙｉｎｇ）、気圧乾燥、対流乾燥、伝導乾燥、または任意のこれらの組み合わせを含む。
【００３７】
ある実施形態では、植物体の形態はベールを含み、ここで、各々のベールは約１００ｋｇから約４００ｋｇの重量を有する。ある実施形態では、植物体の形態はベールを含み、ここで、各々のベールは少なくとも約１００ｋｇの重量を有する。ある実施形態では、植物体の形態はベールを含み、ここで、各々のベールは最大で約４００ｋｇの重量を有する。ある実施形態では、植物体の形態はベールを含み、ここで、各々のベールは約１００ｋｇから約１５０ｋｇ、約１００ｋｇから約２００ｋｇ、約１００ｋｇから約２５０ｋｇ、約１００ｋｇから約３００ｋｇ、約１００ｋｇから約３５０ｋｇ、約１００ｋｇから約４００ｋｇ、約１５０ｋｇから約２００ｋｇ、約１５０ｋｇから約２５０ｋｇ、約１５０ｋｇから約３００ｋｇ、約１５０ｋｇから約３５０ｋｇ、約１５０ｋｇから約４００ｋｇ、約２００ｋｇから約２５０ｋｇ、約２００ｋｇから約３００ｋｇ、約２００ｋｇから約３５０ｋｇ、約２００ｋｇから約４００ｋｇ、約２５０ｋｇから約３００ｋｇ、約２５０ｋｇから約３５０ｋｇ、約２５０ｋｇから約４００ｋｇ、約３００ｋｇから約３５０ｋｇ、約３００ｋｇから約４００ｋｇ、または、約３５０ｋｇから約４００ｋｇの重量を有する。ある実施形態では、植物体の形態はベールを含み、ここで、各々のベールは約１００ｋｇ、約１５０ｋｇ、約２００ｋｇ、約２５０ｋｇ、約３００ｋｇ、約３５０ｋｇ、または、約４００ｋｇの重量を有する。
【００３８】
ある実施形態では、植物体の形態はベールを含み、ここで、各々のベールは約０．５ｍから約４ｍの直径を有する。ある実施形態では、植物体の形態はベールを含み、ここで、各々のベールは少なくとも約０．５ｍの直径を有する。ある実施形態では、植物体の形態はベールを含み、ここで、各々のベールは最大で約４ｍの直径を有する。ある実施形態では、植物体の形態はベールを含み、ここで、各々のベールは約０．５ｍから約１ｍ、約０．５ｍ〜約１．５ｍ、約０．５ｍ〜約２ｍ、約０．５ｍ〜約２．５ｍ、約０．５ｍ〜約３ｍ、約０．５ｍ〜約３．５ｍ、約０．５ｍ〜約４ｍ、約１ｍ〜約１．５ｍ、約１ｍから約２ｍ、約１ｍから約２．５ｍ、約１ｍから約３ｍ、約１ｍから約３．５ｍ、約１ｍから約４ｍ、約１．５ｍから約２ｍ、約１．５ｍから約２．５ｍ、約１．５ｍから約３ｍ、約１．５ｍから約３．５ｍ、約１．５ｍから約４ｍ、約２ｍから約２．５ｍ、約２ｍから約３ｍ、約２ｍから約３．５ｍ、約２ｍから約４ｍ、約２．５ｍから約３ｍ、約２．５ｍから約３．５ｍ、約２．５ｍから約４ｍ、約３ｍから約３．５ｍ、約３ｍから約４ｍ、または、約３．５ｍから約４ｍの直径を有する。ある実施形態では、植物体の形態はベールを含み、ここで各々のベールは約０．５ｍ、約１ｍ、約１．５ｍ、約２ｍ、約２．５ｍ、約３ｍ、約３．５ｍ、または、約４ｍの直径を有する。
【００３９】
ある実施形態では、植物体の形態はベールを含み、ここで、各々のベールは約０．５ｍから約４ｍの高さを有する。ある実施形態では、植物体の形態はベールを含み、ここで、各々のベールは少なくとも約０．５ｍの高さを有する。ある実施形態では、植物体の形態はベールを含み、ここで、各々のベールは最大で約４ｍ高さを有する。ある実施形態では、植物体の形態はベールを含み、ここで、各々のベールは約０．５ｍから約１ｍ、約０．５ｍ〜約１．５ｍ、約０．５ｍ〜約２ｍ、約０．５ｍ〜約２．５ｍ、約０．５ｍ〜約３ｍ、約０．５ｍ〜約３．５ｍ、約０．５ｍ〜約４ｍ、約１ｍ〜約１．５ｍ、約１ｍから約２ｍ、約１ｍから約２．５ｍ、約１ｍから約３ｍ、約１ｍから約３．５ｍ、約１ｍから約４ｍ、約１．５ｍから約２ｍ、約１．５ｍから約２．５ｍ、約１．５ｍから約３ｍ、約１．５ｍから約３．５ｍ、約１．５ｍから約４ｍ、約２ｍから約２．５ｍ、約２ｍから約３ｍ、約２ｍから約３．５ｍ、約２ｍから約４ｍ、約２．５ｍから約３ｍ、約２．５ｍから約３．５ｍ、約２．５ｍから約４ｍ、約３ｍから約３．５ｍ、約３ｍから約４ｍ、または約３．５ｍから約４ｍ高さを有する。ある実施形態では、植物体の形態はベールを含み、ここで、各々のベールは約０．５ｍ、約１ｍ、約１．５ｍ、約２ｍ、約２．５ｍ、約３ｍ、約３．５ｍ、または約４ｍ高さを有する。ある実施形態では、ベールは密集してまたは緩く一緒に詰められる植物体を含む。
【００４０】
本開示の他の目標および利点は、以下の記載と添付の図面と共に考慮するとき、さらに評価され、かつ理解されるであろう。以下の記載は、本開示の特定の実施形態を記載する特定の詳細を含み得るが、これは、本開示の範囲への制限としてではなく、好ましい実施形態の例証として解釈されなければならない。本開示の各態様については、本明細書に示唆されるように、当業者に知られている多くの変形が可能である。様々な変更および修正は、本開示の精神から逸脱することなく、本開示の範囲内で行なうことができる。
【図面の簡単な説明】
【００４１】
本開示の特徴は、とりわけ添付の請求項で説明される。本開示の特徴および利点のより良い理解は、本開示の原理が用いられる例示的な実施形態を説明する以下の詳細な説明と、以下の添付図面（本明細書では「ＦＩＧ」、「ＦＩＧＳ」とも記載される）とを引用することによって得られるであろう。
【図１Ａ】本明細書に開示される実施形態よって、植物体からオイルを抽出するための典型的なデバイスの横断側面図を示す。
【図１Ｂ】本明細書に開示される実施形態よって、植物体からオイルを抽出するための典型的なデバイスの圧搾機の横断側面図を示す。
【図２Ａ】本明細書に開示される実施形態よって、植物体からオイルを抽出するための典型的なデバイスの冷却チャンバの横断平面図を示す。
【図２Ｂ】本明細書に開示される実施形態よって、植物体からオイルを抽出するための典型的なデバイスの冷却チャンバの横断平面図を示す。
【図３】本明細書に開示される実施形態よって、植物体から有機オイルを抽出するための典型的な方法のフローチャートを示す。
【発明を実施するための形態】
【００４２】
本明細書では、有機物からオイルを抽出するための方法、システム、およびデバイスが提供される。
【００４３】
本開示は、スタンドアローンの方法、デバイスまたはシステムとして、あるいは、統合生産または材料（例えば化学製品）処理のシステムの一部として適応されても良い。本開示の様々な態様は、個々に、集団的にまたは互いに組み合わせて評価可能であると理解されるものとする。
【００４４】
ここで図を参照する。図やその特徴は、必ずしも同一縮尺で描かれる必要はないことが認識されよう。本明細書に参照される概略図、画像、式、チャート、およびグラフは、本明細書に記載される典型的な方法で製造されたデバイスの外観、特性、および機能を表現するのに役立つ組み立てられた典型的なデバイスを表わす。
【００４５】
本明細書に記載される有機物からオイルを抽出するための方法、システム、およびデバイスは、例えば、調理目的、医薬目的、化学抽出目的、または工業目的などの１つ以上の用途あるいは分野において重要な役割を果たすことができる。植物体からオイルを抽出するためのデバイス。
【００４６】
本明細書に提供される１つの態様は、有機物からオイルを抽出するためのデバイスである。ある実施形態では、図１Ａに示されるように、有機物（１０１）からオイル（１９０）を抽出するためのデバイス（１００）は、圧搾機（１２０）、フィルター（１３０）、蒸留器（１４０）、および油容器（１５０）含む。
【００４７】
ある実施形態では、デバイス（１００）は冷却チャンバ（１１０）をさらに含み、ここで、冷却チャンバ（１１０）は、冷蔵部材（１１１）およびコンベヤ部材（１１２）を含む。ある実施形態では、コンベヤ部材（１１２）は、コンベヤ部材、スライド、ローラー、クレーン、フォークリフト、傾斜路、輸送手段、リフト、または任意のこれらの組み合わせを含む。ある実施形態では、冷却チャンバ（１１０）は第１の溶媒分散部材（１１３）をさらに含む。ある実施形態では、第１の溶媒分散部材（１１３）は、ノズル、ドリッパー、ホース、スプリンクラー、蛇口、通気孔、または任意のこれらの組み合わせを含む。ある実施形態では、第１の溶媒分散部材（１１３）は、第１の溶媒および空気の組み合わせを分散させる。ある実施形態では、冷却チャンバ（１１０）は絶縁される。ある実施形態では、冷却チャンバ（１１０）、第１の溶媒分散部材、密閉扉、真空室、および調節された空気の取入口の少なくとも１つをさらに含む。
【００４８】
ある実施形態では図１Ｂに示されるように、圧搾機（１２０）は、圧縮部材（１２１）、圧縮プレート（１２２）、ふるい（１２３）、第２の溶媒分散部材（１２５）、封入部材（１２４）、およびフレーム１２７を含む。ある実施形態では、圧縮プレート（１２２）は突起部（１２６）を含む。ある実施形態では、第２の溶媒分散部材（１２５）は、ノズル、ドリッパー、ホース、スプリンクラー、蛇口、通気孔、または任意のこれらの組み合わせを含む。ある実施形態では、ふるい（１２３）は突起部（１２６）を含む。ある実施形態では、第２の溶媒分散部材（１２５）は、第１の溶媒および空気の組み合わせを分散させる。ある実施形態では、圧搾機（１２０）は、圧縮プレート（１２２）に取り付けられた１つのふるい（１２３）、および、フレーム（１２７）にしっかりと取り付けられた１つのふるい（１２３）を含む。ある実施形態では、圧縮プレート（１２２）に取り付けられたふるい（１２３）、またはフレーム（１２７）に取り付けられたふるい（１２３）のいずれかが、突起部（１２６）を含むか、欠いている。ある実施形態では、封入部材（１２４）は、植物体（１０１）を一時的に取り囲むように構成される。ある実施形態では、封入部材（１２４）は、植物体（１０１）の形状を完全に封入するように構成される。ある実施形態では、封入部材（１２４）の形状は、円柱、立方体、他のいかなる多角形の角柱、または任意のこれらの組み合わせを含む。ある実施形態では、封入部材（１２４）は、植物体（１０１）を上、下、横、または任意のこれらの組み合わせから封入するように構成される。ある実施形態では、圧縮部材（１２１）は、電動圧縮部材、空気圧縮部材、水力圧縮部材、または任意のこれらの組み合わせを含む。ある実施形態では、圧縮プレート（１２２）および第２の溶媒分散部材（１２５）は、単一の構成要素を含む。ある実施形態では、圧縮プレート（１２２）および圧縮部材（１２１）は、単一の構成要素を含む。
【００４９】
ある実施形態では、フィルター（１３０）は、約０．１μｍから約１０μｍの孔径を有する。ある実施形態では、蒸留器（１４０）は、真空蒸留器、分子蒸留器、水蒸気蒸留器、蒸発蒸留器、または任意のこれらの組み合わせを含む。ある実施形態では、油容器（１５０）は有機オイル（１９０）を保持する。ある実施形態では、油容器（１５０）は、有機オイル（１９０）を移動させる液体コンベヤ部材を含む。
【００５０】
ある実施形態では、デバイス（１００）は、植物体（１０１）のサイズを縮小するように構成されるグラインダーをさらに含む。ある実施形態では、グラインダーは、刃、砥石車、のこぎり、ディスク、ワイヤーカッター、あるいは任意のこれらの組み合わせを含む。ある実施形態では、デバイス（１００）は、有機オイル（１９０）を蒸発させるように構成される蒸発部材をさらに含む。ある実施形態では、デバイス（１００）は可動性を有するように構成され、ここで、デバイス（１００）は植物体（１０１）が生産される畑で動作することができる。
【００５１】
本明細書に記載されるデバイス（１００）を用いるための１つの典型的な方法では、植物体（１０１）が冷却チャンバ（１１０）内のコンベヤ部材（１１２）に載せられ、その後、第１の溶媒分散部材（１１３）が植物体（１０１）に第１の溶媒を分散する。一旦、植物体（１０１）が特定の温度に到達すると、植物体（１０１）は圧搾機（１２０）へと移動させられ、ここで、封入部材（１２４）は植物体（１０１）を取り囲むために、下方、上方、内方、または任意のこれらの組み合わせへ移動し、圧縮部材（１２１）は圧縮プレート（１２２）、ふるい（１２３）、および突起部（１２６）を押して植物体（１００）を圧縮する。そして、その間に第２の溶媒分散部材（１２５）は、ふるい（１２３）を介して、植物体全体にわたって第２の溶媒を分散させる。ある実施形態では、圧縮し分散させる工程が、同時または任意の順で連続して生じる。その後、植物体（１００）から抽出された有機オイル（１９０）は、フィルター（１３０）および蒸留器（１４０）通って移動し、有機オイル（１９０）を形成する。そして有機オイル（１９０）は、容器（１５０）に貯蔵され得る。
【００５２】
ある実施形態では、図２Ａおよび２Ｂに示されるように、植物体の形態はベール（２０１ａ）、（２０１ｂ）、または束を含む。ある実施形態では、ベールは、密集してまたは緩く一緒に詰め込まれる植物体を含む。ある実施形態では、各ベール（２０１ａ）および（２０１ｂ）の形状は、それぞれ立方体または円柱を含む。冷却部材（２１０ａ）の第１の実施形態では、図２Ａに示すように、冷却部材（２１０ａ）は、植物体（１０１）の２つ以上のベール（２０１ａ）を含んで冷却するように構成され、ここで、コンベヤ部材（２１２）は、植物体（１０１）の２つ以上のベール（２０１ａ）を単列で運搬するように構成される。冷却部材（２１０ｂ）の第１の実施形態では、図２Ｂに示すように、冷却部材（２１０ｂ）は、植物体（１０１）の２つ以上のベール（２０１ｂ）を含んで冷却するように構成され、ここで、コンベヤ部材（２１２）は植物体（１０１）の２つ以上のベール（２０１ｂ）を２列で運搬するように構成される。ある実施形態では、各々のベールは、約１００ｋｇから約４００ｋｇの重量を有する。ある実施形態では、各々のベールは、約０．５メートルから約４メートルの直径を有する。ある実施形態では、各々のベールは、約０．５メートルから約４メートルの高さを有する。
【００５３】
植物体からオイルを抽出するための方法およびシステム
本明細書に提供される態様は、有機物からオイルを抽出するための方法およびシステムである。ある実施形態では、図３に示されるように、植物体から有機オイルまたは有機オイルの組み合わせを抽出する（３００）ための典型的な方法は、植物体を冷却する工程（３０３）、および植物体に第２の溶媒を分散させる間に植物体を圧縮する工程（３０６）を含む。ある実施形態では、方法（３００）は、植物体を粉砕する工程（３０１）、植物体を加熱する工程（３０２）、植物体を圧縮する工程（３０５）、有機オイルをろ過する工程（３０７）、有機オイルに水を添加する工程（３０８）、有機オイルを蒸留する工程（３０９）、および、有機オイルを蒸発させる工程（３１０）を含む、１つ以上のプロセスをさらに含む。ある実施形態では、本明細書に記載された１つ以上のプロセスが繰り返されるか省略される。ある実施形態では、本明細書に記載されたプロセスの順序は変更される。ある実施形態では、方法は植物体に第１の溶媒を分散させる工程（３０４）をさらに含む。
【００５４】
ある実施形態では、植物体を粉砕する工程（３０１）は、植物体のサイズを縮小させる。ある実施形態では、グラインダーによって植物体を粉砕する工程（３０１）が実行され、ここで、グラインダーは、刃、砥石車、のこぎり、ディスク、ワイヤーカッター、または任意のこれらの組み合わせを含む。
【００５５】
ある実施形態では、植物体を加熱する工程（３０２）は、植物体を約５０℃から約２００℃の温度に加熱することを含む。ある実施形態では、植物体を加熱する工程（３０２）は、約１時間から約２４時間にわたって植物体を加熱することを含む。
【００５６】
ある実施形態では、植物体を冷却する工程（３０３）は、植物体を約−１２５℃から約０℃の温度に冷却することを含む。ある実施形態では、植物体を冷却する工程（３０３）は、植物体を最大で約０℃の温度に冷却することを含む。
【００５７】
ある実施形態では、植物体に第１の溶媒を分散させる工程（３０４）は、エタノール、アルコール、水、ギ酸、ブタノール、ペンタン、イソプロパノール、プロパノール、プロピレン、メタノール、酢酸、ヘキサノール、または、任意のこれらの組み合わせを含む第１の溶媒を分散させることを含む。ある実施形態では、植物体の質量は、第１の溶媒の質量よりも約１．０１から約１００倍大きい。ある実施形態では、植物体に第１の溶媒を分散させる工程（３０４）は、約１バールから約２００バールの圧力で植物体に第１の溶媒を分散させることを含む。ある実施形態では、植物体に第１の溶媒を分散させる工程（３０４）は、少なくとも約１バールの圧力で植物体に第１の溶媒を分散させることを含む。ある実施形態では、植物体に第１の溶媒を分散させる工程（３０４）は、少なくとも約２秒間にわたって植物体に第１の溶媒を分散させることを含む。ある実施形態では、植物体に第１の溶媒を分散させる工程（３０４は）、約２秒から約２４時間にわたって植物体に第１の溶媒を分散させることを含む。ある実施形態では、植物体を圧縮する工程（３０４）は、約２秒から約６０分間にわたって植物体を圧縮することを含む。
【００５８】
ある実施形態では、植物体に第２の溶媒を分散させる間に植物体を圧縮する工程（３０６）は、植物体の体積を約１％から約９５％減少させる。ある実施形態では、植物体に第２の溶媒を分散させる間に植物体を圧縮する工程（３０６）は、エタノール、アルコール、水、ギ酸、ブタノール、ペンタン、イソプロパノール、プロパノール、プロピレン、メタノール、酢酸、ヘキサノール、または任意のこれらの組み合わせを含む第２の溶媒を分散させることを含む。ある実施形態では、植物体の質量は、第２の溶媒の質量よりも約１．０１から約１００倍大きい。ある実施形態では、植物体に第２の溶媒を分散させる工程（３０６）は、約１バールから約２００バールの圧力で植物体に第２の溶媒を分散させることを含む。ある実施形態では、植物体に第２の溶媒を分散させる工程（３０６）は、少なくとも約１バールの圧力で植物体に第２の溶媒を分散させることを含む。ある実施形態では、植物体に第２の溶媒を分散させる工程（３０６）は、少なくとも約２秒間にわたって植物体に第２の溶媒を分散させることを含む。ある実施形態では、植物体に第２の溶媒を分散させる工程（３０６）は、約２秒から約２４時間にわたって植物体に第２の溶媒を分散させることを含む。ある実施形態では、第１の溶媒または第２の溶媒の一部が、植物体の次のバッチからオイルを抽出するために再利用および再使用される。ある実施形態では、植物体を圧縮させる工程は、植物体の体積を縮小させる。
【００５９】
ある実施形態では、有機オイルをろ過する工程（３０７）は、約０．１μｍから約２０μｍの孔径を有するフィルターを介して有機オイルをろ過することを含む。ある実施形態では、有機オイルの体積は、水の体積よりも約１．１から約１００倍大きい。
【００６０】
ある実施形態では、有機オイルを蒸留する工程（３０９）は、減圧蒸留、分子蒸留、水蒸気蒸留、蒸発、または任意のこれらの組み合わせを含む。ある実施形態では、有機オイルを蒸留する工程（３０９）は蒸発を含み、ここで、蒸発は約０．１時間から約１６０時間にわたって、約５０℃から約１００℃の温度で有機オイルを加熱することを含む。ある実施形態では、オイルの蒸留は、オイル中の水の一部、オイル中の第１の溶媒の一部、オイル中の第２の溶媒の一部、または任意のこれらの組み合わせを取り除く。
【００６１】
ある実施形態では、有機オイルを蒸発させる工程（３１１）は、氷乾燥（ｉｃｅ  ｄｒｙｉｎｇ）、気圧乾燥、対流乾燥、伝導乾燥、または任意のこれらの組み合わせを含む。ある実施形態では、本明細書に記載される方法は、植物体を粉砕する工程（３０１）、または植物体を加熱する工程（３０２）の前に、植物体を乾燥させる工程をさらに含む。
【００６２】
ある実施形態では、植物体は、ココナッツ、トウモロコシ、綿の実、オリーブ、パーム、ピーナッツ、菜種、紅花、ごま、大豆、カンビナス（ｃａｎｎａｂｉｓ）、ヒマワリ、木の実、種、果物、野菜、柑橘類、ヒョウタン、メロン、カボチャ、西洋カボチャ（ｓｑｕａｓｈ）、藻、ヘンプ（ｈｅｍｐ）、その他のもの、または任意のこれらの組み合わせを含む。
【００６３】
ある実施形態では、有機オイルあるいは有機オイルの組み合わせは、ココナッツオイル、とうもろこし油、綿実油、オリーブオイル、パーム油、落花生油、なたね油、サフラワー油、ごま油、大豆有機オイル、ひまわり油、落花生油、種子油、果実油、植物油、柑橘油、ヒョウタンオイル（ｇｏｕｒｄ  ｏｉｌ）、メロンオイル、カボチャオイル、西洋カボチャオイル、藻油、ヘンプオイル（ｈｅｍｐ  ｏｉｌ）、カンビナスオイル（ｃａｎｎａｂｉｓ  ｏｉｌ）、他の任意オイル、または任意のこれらの組み合わせを含む。
【００６４】
ある実施形態では、本明細書に記載の方法は、任意の現在利用可能な分離手段を用いて、有機オイルまたは有機オイルの組み合わせを２つ以上の有機オイルに分ける工程をさらに含む。
【００６５】
本明細書に記載のデバイス、方法、およびシステムの利点
ある実施形態では、本明細書に開示されるデバイス、方法、およびシステムの利点は、本明細書のデバイス、方法、およびシステムが動作するのにより経済的であるということである。その理由としては、有機オイルを抽出するためにＣＯ２を必要としなくてもよいこと、無駄にされる溶媒が少ないこと、有機オイルを抽出する前に原料を乾燥させなくてもよいこと、デバイス、方法、およびシステムが連続生産のために構成されること、冷却処理が単一の冷却プロセスのみ含み得ること、植物体の粉砕を必要としなくてもよいこと、デバイス、方法、およびシステムが植物体の不必要な輸送をなくすために可動性を有するように構成されること、冷却プロセスが植物体から十分なワックスを取り除くことで、追加の脱ろうのプロセスの必要性がなくすことができること、また、収穫と加工との間の保管時間をなくすまたは少なくすることで、かび、酵母、または害虫による生産ロスを減らすことが挙げられる。ある実施形態では、ふるい上の突起部によって溶媒が広い表面積に到達することができるため、植物体の粉砕は必要とされない。
【００６６】
ある実施形態では、本明細書に開示される方法のさらなる利点は、デバイス、方法、およびシステムがより環境にやさしいということであり、その理由としては、有機オイルを抽出するためにＣＯ２を必要としなくてもよいこと、第１の溶媒および第２の溶媒が非毒性であってもよいこと、および第１の溶媒と第２の溶媒がバッチからバッチへと再利用され得ることが挙げられる。
【００６７】
ある実施形態では、本明細書に開示されるデバイス、方法、およびシステムのさらなる利点は、本明細書のデバイス、方法、およびシステムは、より高品質のオイルを生産するということであり、その理由としては、冷却プロセスがより多くのワックスを取り除くように構成されること、そして畑の新鮮な植物体からオイルを生産することを可能にするためにデバイス、方法、およびシステムが可動性を有するように構成されること、および、収穫と加工との間の保管時間をなくすまたは少なくすることで、かび、酵母、または害虫による被害が減少することが挙げられる。ある実施形態では、テルペンまたは／および酸などの所望の化学成分が蒸発中に除去されないため、本明細書に開示されるデバイス、方法、およびシステムはさらに、高品質な有機オイル、あるいは高品質な有機オイルの組み合わせを生産するように構成される。
【００６８】
実施例
１つの典型的な実施形態では、表１に示されるように、大麻植物体（ａ  ｃａｎｎａｂｉｓ  ｐｌａｎｔ  ｍａｔｔｅｒ）からオイルの５つのサンプルが生産され、ここで、植物体の質量および体積、溶媒の質量および体積、方法の温度、期間、ならびに水分離プロセスの使用を含む方法パラメーターが変更され調整されて、多くのカンビナスオイルが生産された。
【００６９】
【表１】
2019531362.tif 000003
【００７０】
本明細書に提供された方法の別の例は、原料の一体性を壊すために植物体を凍らせて粗くあるいは細かく植物体を粉砕する工程、または、滑らかで粗く均質に砕かれたヘンプのプール（ｈｅｍｐ  ｎｉｂ  ｐｏｏｌ）を生成するために必要とされるエネルギー消費と粘着性を最小限にするために植物体を圧縮する工程を含む、ヘンプベースのオイルを形成する方法を含む。ある実施形態では、植物体は冷凍された温度と同じ温度で切断される。ある実施形態では、植物体はそれから、圧力下または周囲条件下で導管、ホース、あるいはチャンバへ供給される。
【００７１】
ある実施形態では、チャンバか導管が、植物体を介して約１バールから約１００バールの圧力で、エタノール、あるいはブタノール、プロピレンまたはプロピレンハッシュオイル（ＰＨＯ）などの類似の非毒性か毒性溶媒を噴霧する、あるいはポンプで汲み上げるメカニズムを含む。別の実施形態では、植物材料はエタノールの容器を介してポンプで汲み上げられる。ある実施形態では、エタノールが約−１５℃から約−７０℃の温度で維持され、圧力、所望の溶液粘度および濃度に応じて、数時間または短期間にわたって適用される。蒸留されたエタノールは、原料の次のバッチのための溶媒として使用されるために、システムで再使用されてもよい。
【００７２】
用語と定義
他に特段の定義のない限り、本明細書で使用される技術用語はすべて、本開示が属する技術分野の当業者によって一般に理解されるのと同じ意味を有している。明細書および添付の請求項内で用いられるように、単数形「ａ」、「ａｎ」および「ｔｈｅ」は、文脈が他に明確に指示していない限り、複数の引用文を含む。本明細書の「または（ｏｒ）」へのあらゆる言及は、特に他に明記されていない限り、「および／または」を包含するように意図される。
【００７３】
本明細書で用いられるように、植物体という用語は、別段の定めがない限り、動物に由来しない任意の有機材料を指す。
【００７４】
本明細書で用いられるように、有機オイルは、別段の定めがない限り、動物に由来しない有機材料から生産されたオイルを指す。
【００７５】
本明細書で用いられるように、蒸留器または蒸留という用語は、別段の定めがない限り、選択的な蒸発および凝縮によって液状混合物内の成分または物質を分離するための装置、あるいはプロセスを指す。
【００７６】
本明細書で用いられるように、ふるいという用語は、別段の定めがない限り、動物に由来しない任意の有機物を指す。
【００７７】
本明細書で用いられるように、ふるいという用語は、別段の定めがない限り、ばら状の物質を細粒と粗粒とに分離するために用いられるメッシュ状か穴があいた底部を有する道具を指す。
【００７８】
好ましい実施形態が本明細書に示され記載される一方、そのような実施形態がほんの一例として提供されることは当業者にとって明らかだろう。当業者には、多くの変形、変更および置換が思い浮かぶだろう。本明細書に記載される実施形態への様々な代替案が利用され得ることを理解されたい。
【００７９】
本明細書で使用されるように、および別段の定めがない限り、用語「約」または「およそ」は、当業者によって決定されるような特定の値に対する許容可能な誤差を意味し、これは部分的に、値がどのように測定または決定されるかに依存する。特定の実施形態では、用語「約」または「およそ」は、１、２、３、または４の標準偏差内であることを意味する。特定の実施形態では、用語「約」または「およそ」は、所定の値または範囲の３０％、２５％、２０％、１５％、１０％、９％、８％、７％、６％、５％、４％、３％、２％、１％、０．５％、０．１％、あるいは０．０５％内であることを意味する。特定の実施形態では、用語「約」または「およそ」は、所定の値または範囲の３０分、２５分、２０分、１５分、１０分、９分、８分、７分、６分、５分、４分、３分、２分、１分、０．５分、０．１分、あるいは０．０５分内であることを意味する。特定の実施形態では、用語「約」または「およそ」は、所定の値または範囲の３０時間、２５時間、２０時間、１５時間、１０時間、９時間、８時間、７時間、６時間、５時間、４時間、３時間、２時間、１時間、０．５時間、０．１時間、あるいは０．０５時間内であることを意味する。特定の実施形態では、用語「約」または「およそ」は、所定の値または範囲の３０度、２５度、２０度、１５度、１０度、９度、８度、７度、６度、５度、４度、３度、２度、１度、０．５度、０．１度、あるいは０．０５度内であることを意味する。特定の実施形態では、用語「約」または「およそ」は、所定の値または範囲の３０バール、２５バール、２０バール、１５バール、１０バール、９バール、８バール、７バール、６バール、５バール、４バール、３バール、２バール、１バール、０．５バール、０．１バール、あるいは０．０５バール内であることを意味する。
【図１Ａ】
2019531362.tif 000004
【図１Ｂ】
2019531362.tif 000005
【図２Ａ】
2019531362.tif 000006
【図２Ｂ】
2019531362.tif 000007
【図３】
2019531362.tif 000008
【国際調査報告】
2019531362.tif 000009
2019531362.tif 000010
2019531362.tif 000011